(57)【要約】【課題】意匠性が高く、使い勝手がよく、設置時の施工作業が容易な、停電対応機能を備えた水洗大便器を提供する。【解決手段】本発明の水洗大便器装置1は、ボウル部20、排水トラップ管路22、スカート部10を備え、スカート部に背面上部開口10a及び背面下部開口10bが形成された水洗大便器本体2と、排水トラップ管路と排水配管とを接続する排水ソケット38と、排水ソケットの流路を開閉する弁体42と、停電時に使用する、弁体を閉位置に移動させるための把持部44cと、把持部の操作により弁体が閉位置にあるとき、ボウル部に洗浄水を流入させる給水装置と、把持部の操作力を伝達する第１ワイヤ44と、弁体を移動させる第２ワイヤ46と、第１ワイヤと、第２ワイヤおよび給水装置のスイッチユニット48と、を接続するコネクタ50と、背面下部開口に引き出された第２ワイヤ46をガイドして背面上部開口まで引き上げてコネクタを介して第１ワイヤに接続するさや管53と、を有する。【選択図】図３
2018165452.tif 000002
【特許請求の範囲】
【請求項１】
停電対応機能を備えた水洗大便器装置であって、
汚物を受けるボウル部、上記ボウル部の底部から延びる排水トラップ管路、及び上記ボウル部の周囲を囲うスカート部を備えた水洗大便器本体であって、上記スカート部にはその上方に第１開口が形成され且つその下方に第２開口が形成された上記水洗大便器本体と、
上記排水トラップ管路の下流側に配置され、上記スカート部の内側で、上記排水トラップ管路と排水配管とを接続する排水ソケットと、
上記排水ソケットに設けられ、開位置と閉位置の間を移動して上記排水ソケットの流路を開閉する弁体と、
上記水洗大便器本体に設けられ、上記停電対応機能の使用時において、操作して上記弁体を閉位置に移動させるための弁体操作部と、
この弁体操作部の操作により上記弁体が閉位置にあるとき、上記ボウル部に洗浄水を流入させる給水装置と、
上記弁体操作部から延び、上記弁体操作部に対する操作に基づく力を伝達する第１ワイヤと、
上記排水ソケットから延び、上記弁体を移動させる第２ワイヤと、
上記第１ワイヤと、上記第２ワイヤおよび上記給水装置と、を接続する接続手段と、
上記第２開口に引き出された第２ワイヤをガイドして第１開口まで引き上げて上記接続手段を介して第１ワイヤに接続することができるようにするためのガイド部材と、
を有し、
上記弁体操作部、第１ワイヤ、第２ワイヤ、接続手段、及びガイド部材が、上記水洗大便器本体内に収納可能となっている水洗大便器装置。
【請求項２】
上記第２ワイヤの先端部には、係止部が設けられており、上記接続手段はコネクタであり、このコネクタが、上記係止部が収容可能な収容部、及び、上記収容部を覆うように形成され上記係止部が収容部から脱落することを防止する脱落防止部を備えている請求項１記載の水洗大便器装置。
【請求項３】
上記ガイド部材は、可撓性のある筒状体であり、この筒状体の内部に挿入された上記第２ワイヤを上記第１開口へガイドする請求項１又は請求項２に記載の水洗大便器装置。
【請求項４】
上記ガイド部材の下端は、上記第２開口から露出しており、このガイド部材の下端が第２開口に露出した状態で上記第２ワイヤが上記ガイド部材の下端に挿入され、この第２ワイヤが上記ガイド部材に挿入された状態で、上記ガイド部材は上記第２開口から上記スカート部内に収納されると共にこの収納動作に連動して上記第２ワイヤは上記ガイド部材の内壁面に沿って変化し上記ガイド部材の上端に到達して上記第１開口までガイドされるようになっている請求項３記載の水洗大便器装置。
【請求項５】
上記水洗大便器本体の上記スカート部に設けられた上記第１開口及び上記第２開口は、上記水洗大便器本体の背面側に形成されている請求項１乃至４の何れか１項に記載の水洗大便器装置。
【請求項６】
上記排水ソケットには、上記第２ワイヤが挿通され上記第２ワイヤを上記第２開口へ導く挿通孔が形成されたワイヤガイドが設けられている請求項１乃至５記載の何れか一項に記載の水洗大便器装置。
【発明の詳細な説明】
【技術分野】
【０００１】
本発明は、水洗大便器に関し、特に、停電対応機能を備えた水洗大便器装置に関する。
【背景技術】
【０００２】
従来、リム吐水やゼット吐水をコントローラにより電気的に制御するタイプの水洗大便器や、ポンプにより洗浄水を加圧してリム吐水やゼット吐水を行うタイプの水洗大便器においては、停電時には便器洗浄が実行できなくなるという問題があり、停電対応機能が備えられた水洗大便器が求められている。
【０００３】
特許文献１記載の水洗大便器においては、排水ソケットに、流路を開閉する開閉弁が備えられており、この開閉弁は、排水ソケットから延びるインナーワイヤを引くことにより、閉位置に移動されるように構成されている。停電時において使用者は、まず、インナーワイヤを引くことにより開閉弁を閉弁した状態で、水洗大便器のボウル部に洗浄水を供給する。排水ソケットの流路が閉鎖された状態でボウル部に洗浄水を供給することにより、ボウル部内の溜水の水位が上昇すると共に、ボウル部から延びる排水トラップ管路が満水にされる。この状態で使用者がインナーワイヤを引く力を緩めると、排水ソケットの開閉弁が開弁され、排水トラップ管路内でサイホン現象が発生する。これにより、ボウル部内の汚物及び洗浄水が排水トラップ管路に吸引され、排水配管に排出される。
【０００４】
また、この水洗大便器において、使用者がインナーワイヤを引くための把持部は、水洗大便器の後方側部のスカート部の内側に収納されている。停電時において、使用者は、水洗大便器のスカート部を形成する化粧カバーを取り外し、内部に収納されている把持部を取り出し、これを引くことにより開閉弁を開閉することができる
【先行技術文献】
【特許文献】
【０００５】
【特許文献１】特開２０１３−２２７８５２号公報
【発明の概要】
【発明が解決しようとする課題】
【０００６】
近年、意匠性の高い優れた外観の水洗大便器を提供するために、ボウル部を取り囲むスカート部を、水洗大便器の後部まで一体的に形成したいという要求がある。
しかしながら、特許文献１の構造では、このように、一体的に形成されたスカート部により水洗大便器本体後部の機能部が覆われたデザインである場合、排水ソケットから延びるワイヤの末端の操作部を、停電時に使用者が水洗大便器の内部に収納されている操作部を取り出せるように、機能部の適所に取り付けることが困難となる。
【０００７】
さらには、停電時には使用者は、排水ソケットの開閉操作と、洗浄水供給手段による洗浄水の給水及び止水操作と、別々に行う必要があり改善の余地があった。
【０００８】
本発明は、上記課題を解決するためになされたものであり、意匠性が高く、使い勝手がよく、設置時の施工作業が容易な、停電対応機能を備えた水洗大便器を提供することを目的としている。
【課題を解決するための手段】
【０００９】
上記目的を達成するために本発明は、停電対応機能を備えた水洗大便器装置であって、汚物を受けるボウル部、ボウル部の底部から延びる排水トラップ管路、及びボウル部の周囲を囲うスカート部を備えた水洗大便器本体であって、スカート部にはその上方に第１開口が形成され且つその下方に第２開口が形成された上記水洗大便器本体と、排水トラップ管路の下流側に配置され、スカート部の内側で、排水トラップ管路と排水配管とを接続する排水ソケットと、排水ソケットに設けられ、開位置と閉位置の間を移動して排水ソケットの流路を開閉する弁体と、水洗大便器本体に設けられ、停電対応機能の使用時において、操作して弁体を閉位置に移動させるための弁体操作部と、この弁体操作部の操作により弁体が閉位置にあるとき、ボウル部に洗浄水を流入させる給水装置と、弁体操作部から延び、弁体操作部に対する操作に基づく力を伝達する第１ワイヤと、排水ソケットから延び、弁体を移動させる第２ワイヤと、第１ワイヤと、第２ワイヤおよび上記給水装置と、を接続する接続手段と、第２開口に引き出された第２ワイヤをガイドして第１開口まで引き上げて接続手段を介して第１ワイヤに接続することができるようにするためのガイド部材と、を有し、弁体操作部、第１ワイヤ、第２ワイヤ、接続手段、及びガイド部材が、水洗大便器本体内に収納可能となっている。
このように構成された本発明によれば、停電対応機能の使用時において、弁体操作部を操作して、排水ソケットの流路を開閉する弁体を「閉位置」に移動させる。給水装置は、弁体が「閉位置」に移動されている状態で、ボウル部に洗浄水を流入させる。次いで、ボウル部内に所定量の洗浄水が溜まった状態で弁体を「開位置」に移動させることにより、ボウル部内の溜水及び汚物が、排水トラップ管路を介して排水配管に排出される。このとき、弁体操作部に対する操作に基づく力を伝達する弁体操作部から延びる第１ワイヤと、排水ソケットから延びる第２ワイヤ及び給水装置は接続手段により接続されているので、弁体操作部に対する操作に基づく力が第１ワイヤから第２ワイヤ及び給水装置に伝達され、これにより、排水弁の開閉と給水装置からの洗浄水の流入を容易に行うことができる。さらに、本発明によれば、水洗大便器装置の設置時に、ガイド部材によって第２開口に引き出された第２ワイヤをガイドして第１開口まで引き上げて接続手段を介して第１ワイヤに接続することができるので、水洗大便器装置の設置時の施工作業が容易となる。
【００１０】
本発明において、好ましくは、第２ワイヤの先端部には、係止部が設けられており、接続手段はコネクタであり、このコネクタが、係止部が収容可能な収容部、及び、収容部を覆うように形成され係止部が収容部から脱落することを防止する脱落防止部を備えている。
このように構成された本発明によれば、第２ワイヤの係止部が、コネクタの収容部に収容され且つ脱落防止部により脱落することが防止されているので、第２ワイヤをコネクタに取り付ける作業が容易となる。
【００１１】
本発明において、好ましくは、ガイド部材は、可撓性のある筒状体であり、この筒状体の内部に挿入された第２ワイヤを第１開口へガイドする。
このように構成された本発明によれば、可撓性のある筒状体のガイド部材により、筒状体の内部に挿入された第２ワイヤを第１開口へガイドするようにしたので、第２ワイヤをコネクタに接続するための作業が容易になる。
【００１２】
本発明において、好ましくは、ガイド部材の下端は、第２開口から露出しており、このガイド部材の下端が第２開口に露出した状態で第２ワイヤがガイド部材の下端に挿入され、この第２ワイヤがガイド部材に挿入された状態で、ガイド部材は第２開口からスカート部内に収納されると共にこの収納動作に連動して第２ワイヤはガイド部材の内壁面に沿って変化しガイド部材の上端に到達して第１開口までガイドされるようになっている。
このように構成された本発明によれば、ガイド部材の下端が、第２開口から露出しているので、第２ワイヤをガイド部材に挿入させ易くなる。さらに、ガイド部材の下端が第２開口に露出した状態で第２ワイヤがガイド部材の下端に挿入され、この第２ワイヤがガイド部材に挿入された状態で、ガイド部材は第２開口からスカート部内に収納されると共にこの収納動作に連動して第２ワイヤはガイド部材の内壁面に沿って変化しガイド部材の上端に到達して第１開口までガイドされるようになっているので、第２ワイヤを第１開口まで挿通させる作業が容易になる。
【００１３】
本発明において、好ましくは、水洗大便器本体のスカート部に設けられた第１開口及び第２開口は、水洗大便器本体の背面側に形成されている。
このように構成された本発明によれば、水洗大便器本体背面側の目立たない位置に、スカート部に第１開口及び第２開口が設けられているので、より意匠性を高めることができる。また、本発明によれば、第２ワイヤをコネクタを介して第１ワイヤに容易に接続することができるので、第１開口及び第２開口が背面側に形成されていても作業性が損なわれることがない。
【００１４】
本発明において、好ましくは、排水ソケットには、第２ワイヤが挿通され第２ワイヤを第２開口へ導く挿通孔が形成されたワイヤガイドが設けられている。
このように構成された本発明によれば、記排水ソケットに、第２ワイヤが挿通され第２ワイヤを第２開口へ導く挿通孔が形成されたワイヤガイドが設けられているので、第２ワイヤがよれたりねじれたりすることがなく、第２開口まで導くことができ、作業が容易となる。
【発明の効果】
【００１５】
本発明の停電対応機能を備えた水洗大便器装置によれば、意匠性が高く、使い勝手がよく、設置時の施工作業が容易となる。
【図面の簡単な説明】
【００１６】
【図１】本発明の実施形態による水洗大便器装置全体を示す斜視図である。
【図２】本発明の実施形態による水洗大便器装置の前後方向の全断面図である。
【図３】本発明の実施形態による水洗大便器装置を斜め後方から見た斜視図である。
【図４】本発明の実施形態による水洗大便器装置において、停電対応機能に関与する  部分を取り出して示した斜視図である。
【図５】図５（ａ）は本発明の実施形態による水洗大便器装置のコネクタの後方から見た斜視図であり、図５（ｂ）はコネクタを前方から見た斜視図である。
【図６】本発明の実施形態による水洗大便器装置に設けられた排水ソケットの断面図である。
【図７】本発明の実施形態による水洗大便器装置に設けられた弁体の移動機構を      説明するための図である。
【図８】本発明の実施形態による水洗大便器装置において、第１開口から露出した第２ワイヤを第２開口へガイドする手順を模式的に示す説明図である。
【図９】本発明の実施形態による水洗大便器装置において、第１開口から露出した第２ワイヤをコネクタへ接続する手順を模式的に示す説明図である。
【発明を実施するための形態】
【００１７】
以下、図面を参照して、本発明の実施形態の水洗大便器装置を説明する。
図１は、本発明の実施形態による水洗大便器装置全体を示す斜視図であり、便蓋及び便座を上方位置まで回動させた状態を示している。図２は、本実施形態の水洗大便器装置の前後方向の全断面図であり、便蓋及び便座を取り外した状態を示している。
【００１８】
図１に示すように、本発明の実施形態による水洗大便器装置１は、陶器製の水洗大便器本体２と、この水洗大便器本体２の上面に上下方向に回動可能に配置された便座４と、この便座４を覆うように上下方向に回動可能に配置された便蓋６と、水洗大便器本体２の後方に配置された機能部８とを備えている。また、機能部８には、使用者の局部を洗浄する衛生洗浄装置（図示せず）と、水洗大便器本体２への給水機能に関与する給水系機能部１２（図２参照）が内蔵されている。
【００１９】
また、水洗大便器本体２にはボウル部２０が形成されていると共に、このボウル部２０の周囲を囲うようにスカート部１０が形成されている。本実施形態においては、スカート部１０は、水洗大便器本体２の全周を取り囲む外周壁面として、一体に形成されている。また、ボウル部２０は、ボウル形状の汚物受け面１４と、この汚物受け面１４の上縁の棚面１６から立ち上がるように形成されたリム部１８とを備えている。
【００２０】
さらに、図２に示すように、水洗大便器本体２には、ボウル部２０の底部に設けられた入口開口２２ａから延びる排水トラップ管路２２が形成されている。この排水トラップ管路２２は、入口開口２２ａから後方斜め上方に向かって延びる上昇管路２２ｂ、この上昇管路２２ｂの下流端に設けられ、ボウル部２０の溜水面Ｌの高さを規定する屈曲部２２ｃ、及びこの屈曲部２２ｃから下方に向かって延びる下降管路２２ｄから構成されている。即ち、ボウル部２０の溜水面Ｌの高さは、排水トラップ管路２２の底面が最も高い位置にある屈曲部２２ｃにより規定される。
【００２１】
また、図２に示すように、水洗大便器本体２側面のリム部１８の内部には、リム通水路２４が形成されている。このリム通水路２４の下流端には、リム吐水部の一部であるリム吐水口２６が形成されている。さらに、リム通水路２４の上流側は、給水装置である電磁弁２８を介して洗浄水源である水道（図示せず）に接続されている。ボウル部２０の通常洗浄時においては、給水系機能部１２に内蔵されたコントローラ（図示せず）が電磁弁２８に信号を送り、これを開弁させる。電磁弁２８が開弁されると、水道の給水圧力により洗浄水がリム吐水口２６まで導かれるようになっている。リム通水路２４内に供給された洗浄水は、リム通水路２４内で水洗大便器本体２の前方側へ導かれ、その後、後方側に折り返し、リム吐水口２６から後方に向けて吐出（リム吐水）されるようになっている。
リム吐水口２６から吐出された洗浄水は、リム吐水口２６に連なるように形成された通水路を経て棚面１６に導かれ、ボウル部２０内を旋回することにより汚物受け面１４を洗浄するようになっている。
【００２２】
さらに、図２に示すように、ボウル部２０の底部には、ゼット吐水口３２が形成されており、このゼット吐水口３２は、排水トラップ管路２２の入口開口２２ａに向けてジェット噴流が吐出されるように、入口開口２２ａに対向するように配置されている。また、水洗大便器本体２には、水洗大便器本体２に洗浄水を流入させる導水路流入部（図示せず）から、ボウル部２０の底部に設けられたゼット吐水口３２まで延びるゼット導水路（図示せず）が形成されている。
【００２３】
さらに、図２に示すように、水洗大便器本体２の後部には、給水系機能部１２として、貯水タンク３４、及び加圧ポンプ３６が設けられている。加圧ポンプ３６は、通常の便器洗浄時において、貯水タンク３４内に貯留されている洗浄水を加圧して、水洗大便器本体２の導水路流入部（図示せず）に流入させるようになっている。これにより、加圧ポンプ３６が作動されると、貯水タンク３４に貯水されていた洗浄水は、加圧ポンプ３６によって加圧され、ゼット導水路（図示せず）を通ってゼット吐水口３２から吐出される。
【００２４】
また、ゼット吐水口３２から吐出された洗浄水は、ボウル部２０内に貯留されていた溜水を巻き込みながら、ゼット吐水口３２に対向して設けられた排水トラップ管路２２の入口開口２２ａに流入する。入口開口２２ａに流入した洗浄水は、上昇管路２２ｂ内を上昇して屈曲部２２ｃ内を満水とし、サイホン作用を誘発する。サイホン作用が発生すると、ボウル部２０内の溜水及び汚物が入口開口２２ａを通って上昇管路２２ｂ内に吸引され、屈曲部２２ｃを越えて下降管路２２ｄから排出される。このように、加圧ポンプ３６を使用してゼット吐水口３２から洗浄水を噴射させることにより、早期に排水トラップ管路２２内を満水にすることが可能になり、早期にサイホン作用を起動させることができる。
【００２５】
なお、本実施形態においては、貯水タンク３４内の洗浄水を、加圧ポンプ３６を使用してゼット導水路（図示せず）に流入させているが、水道の給水圧力を利用して洗浄水を流入させる水道直圧式等の水洗便器に本発明を適用することもできる。
【００２６】
さらに、図２に示すように、水洗大便器装置１には、排水ソケット３８が備えられている。この排水ソケット３８は、排水トラップ管路２２の下流側に配置され、スカート部１０の内側で、排水トラップ管路２２と、床面Ｆから立ち上げられている排水配管４０とを接続している。また、排水ソケット３８には弁体４２が設けられており、この弁体４２は、排水ソケット３８の流路を開閉するために、開位置（図５参照）と閉位置（図２参照））の間で移動可能となっている。また、弁体４２は、水洗大便器装置１の通常使用時においては、常に開位置にされており、停電対応機能の使用時において、使用者の操作により閉位置に移動される。
【００２７】
なお、本明細書において、弁体４２の「閉位置」とは、必ずしも排水ソケット３８の流路が完全に閉塞された状態を意味するものではなく、排水ソケット３８の流路断面積が「開位置」よりも狭くされた状態を含むものである。また、本実施形態においては、弁体４２が「閉位置」にある状態でも、排水ソケット３８の流路は完全に閉塞されず、小流量の洗浄水が排水ソケット３８を通過できるようになっている。排水ソケット３８及び弁体４２の詳細については後述する。
【００２８】
次に、図３乃至図７を参照して、水洗大便器装置１の停電対応機能を説明する。
図３は本実施形態の水洗大便器装置を斜め後方から見た斜視図であり、背面のカバー等（図示せず）を取り外した状態を示している。図４は、本実施形態の水洗大便器装置において、停電対応機能に関与する部分を取り出して示した斜視図である。図５（ａ）は本発明の実施形態による水洗大便器装置のコネクタの後方から見た斜視図であり、図５（ｂ）はコネクタを前方から見た斜視図である。図６は、本実施形態の水洗大便器装置に設けられた排水ソケットの断面図である。図７は、本発明の実施形態による水洗大便器装置に設けられた弁体の移動機構を説明するための図である。
【００２９】
図３乃至図５に示すように、停電対応機能に関与する停電対応機能部は、弁体４２を内蔵した排水ソケット３８と、弁体４２を操作するための把持部４４ｃを有する第１ワイヤ４４と、排水ソケットまで延び弁体を移動させる第２ワイヤ４６と、第１ワイヤ４４及び第２ワイヤ４６を接続するコネクタ５０と、コネクタ５０に接続されたスイッチユニット４８を操作するための第３ワイヤ５２と、第２ワイヤ４６をコネクタ５０までガイドするさや管５３と、を備えている。
【００３０】
図３に示すように、停電対応機能部である上述した排水ソケット３８、第１ワイヤ４４、第２ワイヤ４６、コネクタ５０、スイッチユニット４８、第３ワイヤ５２、さや管５３は、水洗大便器本体２のスカート部１０の後部内側に配置されている。また、スカート部１０の後部下方には第１開口である背面下部開口１０ａが、後部上方には第２開口である背面上部開口１０ｂが、それぞれ形成されている。これらの背面下部開口１０ｂ及び背面上部開口１０aは、設置時の施工後、化粧カバー（図示せず）により閉鎖される。
【００３１】
さや管５３は、可撓性を有する筒状体であり、背面下部開口１０ａから背面上部開口１０ｂまで延び、水洗大便器本体２内部に取り付けられている。
【００３２】
図３に示すように、停電が生じた停電対応時には、使用者は、スカート部１０の背面上部開口１０ａを覆っている化粧カバー（図示さず）を取り外して第１ワイヤ４４を露出され、第１ワイヤ４４の把持部４４ｃを操作するようになっている。
なお、水洗大便器装置の設置時には、後述するように、スカート部１０の背面下部開口１０ｂ及び背面上部開口１０ａをそれぞれ覆っている化粧カバー（図示せず）を取り外して、さや管５３の下端を背面下部開口１０ｂから露出させ、さや管５３の上端を背面上部開口１０aから露出させる。この状態で、排水ソケット３８から延びる第２ワイヤ４６をさや管５３の内部に挿入し、第２ワイヤ４６を背面上部開口１０ａへガイドさせる。背面上部開口１０ａへガイドされた第２ワイヤ４６はコネクタ５０と接続される。これにより、停電対応時に、使用者は、第１ワイヤ４４の把持部４４ｃを操作できるようになっている。
【００３３】
図４に示すように、第１ワイヤ４４は、可撓性の管状の第１アウターチューブ４４ａと、この第１アウターチューブ４４ａの中を通っている可撓性の第１インナーワイヤ４４ｂと、第１インナーワイヤ４４の先端に設けられたＴ字状の把持部４４ｃと、から構成されている。第１ワイヤ４４の基端は、コネクタ５０と接続されている。
【００３４】
図４に示すように、第２ワイヤ４６は、第１ワイヤ４４と同様の構造を有し、可撓性の管状の第２アウターチューブ４６ａと、この第２アウターチューブ４６ａの中を通っている可撓性の第２インナーワイヤ４６ｂと、を備えている。この第２インナーワイ４６ｂの先端には係止部である球体４６（図５参照）が取り付けられている。
第２ワイヤ４６の基端は、第２インナーワイヤ４６ｂが排水ソケット３８に接続されており、第２ワイヤの先端は、第２インナーワイヤの先端に取り付けられた球体４６ｃがコネクタ５０に設けられた収納部６８ａ（図５参照）に収納されることにより、コネクタ５０と接続されている。なお、詳細な接続構造な後述する。
【００３５】
図４に示すように、スイッチユニット４８は、直方体形状であり、第３ワイヤ５２を介してコネクタ５０と接続されている。また、スイッチユニット４８の側面には電気コネクタ（図示せず）が設けられており、この電気コネクタには接続コード（図示せず）が接続される。この接続コード（図示せず）は、給水系機能部１２に内蔵された電磁弁２８（図２）に接続されており、停電対応時において、使用者が第１インナーワイヤ４４ｂを所定量引き出すと、内蔵バッテリ（図示せず）により電磁弁２８が開弁されるようになっている。
【００３６】
図４に示すように、排水ソケット３８の外周面には、排水ソケット３８と一体であり、第２ワイヤ４６を背面下部開口１０ｂへ案内するワイヤガイド６６が形成されている。
このワイヤガイド６６は、第２ワイヤ４６を所定の曲率半径を保った状態で背面下部開口１０ｂへガイドするように形成された挿通孔６６ａを有する長方形の板状の部材であり、第２ワイヤ４６は、このワイヤガイド６６に形成された挿通孔６６ａを通過することにより、この所定経路に沿うように配索（配置）される。
これにより、第２ワイヤ４６の排水ソケット３８に接続される端部は常に所定の曲率半径に維持されるので、取り回しにより第２ワイヤ４６にキンク（ねじれ）が生じ、第２ワイヤ４６の機能が損なわれるのを防止することができる。
【００３７】
図５に示すように、コネクタ５０は、概ねＬ字形状であり、内部に貫通孔が形成された環状の接続部が３か所設けられている。
これらの３カ所の接続部は、外形が長方形状で内部に概ね外形と相似形状の貫通孔が形成された第１接続部６８と、第１接続部６８の長辺の側面下方から横方向に延びた半円状でその内部に概ね外形と相似形状の貫通孔が形成された第２接続部７０と、第１接続部６８の短辺の上面から上方に延びた半円状でその内部に概ね外形と相似形状の貫通孔が形成された第３接続部７２である。
【００３８】
図５（ａ）に示すように、第１接続部６８の貫通孔の内壁に囲まれた領域は、係止部である球体４６ｃを収容可能な大きさであり、球体４６ｃの収容部６８ａとなっている。
この収容部６８ａの中央の下面には、貫通孔の内壁から外壁まで貫通した中央スリット７４が形成されている。この中央スリット７４は、第２インナーワイヤ４６の外形寸法より大きく且つ球体４６ｃの外形寸法より小さい幅を持つように形成されている。
【００３９】
図５（ｂ）に示すように、第１接続部６８の前方下方には、前方に突出し、収容部６８ａを覆うように形成された脱落防止壁６８ｂが設けられている。この脱落防止壁６８ｂには、脱落防止壁６８ｂの上面から下面まで延びる前方スリット７６が形成されており、収容部６８ａに形成された中央スリット７４と繋がっている。
この前方スリット７６は、収容部６８ａに形成された中央スリット７４と同じ幅を有し、第２インナーワイヤ４６の外形寸法より大きく且つ球体４６ｃの外形寸法より小さい幅を有するように形成されている。
また、脱落防止壁６８ｂに形成された前方スリット７６には、第２インナーワイヤ４６の外形寸法より狭く形成され、第２インナーワイヤ４６の抜けを防止するストッパ６８ｃが形成されている。
【００４０】
また、水洗大便器装置１の工場出荷時においては、水洗大便器本体２側には、第１ワイヤ４４及びコネクタ５０、第３ワイヤ５２、スイッチユニット４８が取り付けられており、一方、排水ソケット３８側には、第２ワイヤ４６が取り付けられている。
【００４１】
次に、図６及び図７を参照して、排水ソケット３８の構造を説明する。
図６に示すように、排水ソケット３８は、排水ソケット本体５４と、この排水ソケット本体５４の上端に取り付けられたパッキン５６と、排水ソケット本体５４内部の通路を開閉する弁体４２と、を有する。
排水ソケット本体５４の下端にはベース部５４ａが設けられ、このベース部５４ａは、水洗大便器装置１を設置する床面Ｆ上に配置される。また、排水ソケット本体５４の内部には、ベース部５４ａの底面から上端まで延びる湾曲した流路５４ｂが形成されている。即ち、流路５４ｂは、排水ソケット本体５４上端の流入部５４ｃから底面の流出部５４ｄまで延びている。
【００４２】
排水ソケット本体５４の流入部５４ｃには、環状のパッキン５６が取り付けられている。パッキン５６はゴム製であり、水洗大便器本体２に設けられた排水トラップ管路２２の下流端を流入部５４ｃに挿入すると、パッキン５６により、排水トラップ管路２２と排水ソケット本体５４が水密的に接続される。一方、排水ソケット本体５４の流出部５４ｄは、床面Ｆに設けられた排水配管４０に挿入され、パッキン（図示せず）を介して排水配管４０に水密的に接続されている。
【００４３】
さらに、流路５４ｂの中間部には弁体４２が設けられており、この弁体４２は、「開位置」（図６の状態）と「閉位置」（図２の状態）の間で回動可能に取り付けられている。具体的には、弁体４２は、中央部が上方に向けて盛り上がった板状の部材であり、その一端部には回転軸４２ａが設けられている。弁体４２は、流路５４ｂ内で回転軸４２ａを中心に回動可能に取り付けられている。弁体４２が概ね水平方向に向けられた「閉位置」では流路５４ｂが概ね閉鎖されて流路断面積が狭くなり、弁体４２が概ね鉛直下方に向けられた「開位置」では流路５４ｂが開かれ、流路断面積が広くなる。このように、弁体４２が流路５４ｂ内で回動することにより、フラッパ弁が形成される。
【００４４】
次に、図７を参照して、弁体４２を開閉するための開閉機構を説明する。なお、図７においては、開閉機構が露出されるように、排水ソケット３８から一部のカバーが取り外されている。
図７に示すように、排水ソケット３８には、開閉機構として、摺動溝５８と、この摺動溝５８に沿って摺動するスライダ６０と、このスライダ６０を付勢するコイルばね６２と、スライダ６０と弁体４２の回転軸４２ａを連結するアーム６４が設けられている。
【００４５】
摺動溝５８は、排水ソケット本体５４の外側に設けられた直線状の溝であり、床面Ｆに対して傾斜して形成されている。摺動溝５８の中にはスライダ６０が摺動可能に配置されており、スライダ６０は、摺動溝５８の中に配置された付勢部材であるコイルばね６２により斜め下方に向けて付勢されている。
さらに、スライダ６０にはアーム６４の一端が連結されており、アーム６４の他端は弁体４２の回転軸４２ａに連結されている。これにより、摺動溝５８内でスライダ６０が摺動されると、アーム６４を介して回転軸４２ａが回動され、流路５４ｂ内の弁体４２が開閉される。なお、図６に示すように、スライダ６０がコイルばね６２の付勢力により摺動溝５８の下端に位置する状態では、弁体４２は図５に示す「開位置」に位置する。第２ワイヤ４６はこのスライダ６０と接続されており、第２ワイヤ４６を引き上げることでスライダ６０を摺動させることができる。
【００４６】
次に図８及び図９を参照して、本発明の実施形態による水洗大便器における停電対応機能の水洗大便器装置の設置時の施工作業の手順を説明する。
先ず、図８（ａ）に示すように、スカート部１０に形成された背面下部開口１０ｂ及び背面上部開口１０aを塞いでいる化粧カバー（図示せず）が取り外され、この状態で、さや管５３の下端を背面下部開口１０ｂから露出させ、さや管５３の上端を背面上部開口１０aから露出させる。
【００４７】
また、排水ソケット３８から延びる第２ワイヤ４６も、背面下部開口１０ｂの外部に延ばすようにする。
【００４８】
次に、図８（ｂ）に示すように、さや管５３の下端が背面下部開口１０ｂから露出した状態で、第２ワイヤ４６の先端をさや管５３の下端から内部に挿入する。
【００４９】
その後、図８（ｃ）に示すように、さや管５３の下端を背面下部開口１０ｂからスカート部１０の内側に押し込み、水洗大便器本体２の内部に収納させる。
このとき、さや管５３の収納動作に連動させて、第２ワイヤ４６は、その進行方向がさや管５３の内壁面に沿って変化し、さや管５３の上端に到達し、このようにして、背面上部開口１０aまでガイドされる。
【００５０】
その結果、図８（ｄ）に示すように、背面上部開口１０aに位置するさや管５３の上端から第２ワイヤ４６が露出する。
【００５１】
次に、図９を参照して、背面上部開口１０aにおいて、第２ワイヤ４６をコネクタ５０へ接続する際の手順を説明する。
【００５２】
まず、図９（ａ）に示すように、さや管５３の上端から露出した第２インナーワイヤ４６の先端に取り付けられた球体４６ｃ及び球体４６ｃから続く第２インナーワイヤ４６をコネクタ５０の前面へ接近させる。
【００５３】
次に、図９（ｂ）に示すように、球体４６ｃを脱落防止壁６８ｂの上方から収容部６８ａへ収容させる。次に、第２インナーワイヤ４６ｂを脱落防止壁６８ｂに形成された前方スリット７６を通過させる。ここで、第２インナーワイヤ４６ｂを前方スリット７６へ通すために、第２インナーワイヤ４６ｂへ力を加えることで、脱落防止壁６８ｂに設けられたストッパ６８ｃが外側に向かって弾性変形し、第２インナーワイヤ４６ｂが前方スリット７６に入れ込むことができる。そして、第２インナーワイヤ４６ｂを脱落防止壁６８ｂに形成された前方スリット７６を通過させ、収容部６８ａに形成されたスリット７４まで移動させる。これにより、第２ワイヤ４６とコネクタ５０と、が接続される。この後、背面上部開口１０ａと背面下部開口１０ｂが化粧カバー（図示せず）により閉じられ、施工作業が終了する。
【００５４】
次に、本発明の実施形態による水洗大便器装置１の作用を説明する。
上述したように、本実施形態による水洗大便器装置１は、加圧ポンプ３６を使用してゼット吐水が行われるので、停電時には通常の便器洗浄を実行することができない。このため、停電時には停電対応機能を使用して便器洗浄を行う必要がある。停電対応機能を使用する場合には、使用者は、まず、水洗大便器本体２後部の背面上部開口１０ａ（図３参照）を覆っている化粧カバー（図示せず）を取り外して第１ワイヤ４４を露出させる。次いで、使用者は、第１ワイヤ４４の把持部４４ｃに指を掛け、第１インナーワイヤ４４ｂを引く。
【００５５】
第１インナーワイヤ４４ｂが引かれると、コネクタ５０を介して、第２インナーワイヤ４６ｂ及び第３ワイヤ５２が引かれることになる。
第２インナーワイヤ４６ｂが引かれると、第２インナーワイヤ４６ｂの先端に固定されているスライダ６０（図７参照）が、コイルばね６２の付勢力に抗して、摺動溝５８に沿って斜め上方に移動される。スライダ６０が移動されると、アーム６４を介して回転軸４２ａが回動され、これにより弁体４２が「開位置」（図５参照）から「閉位置」（図２参照）に移動される。
【００５６】
第３ワイヤ５２が所定量引き出されると、スイッチユニット４８は電磁弁２８（図２参照）に信号を送り、これを開弁させる。なお、電磁弁２８に送られる電気信号、及び電磁弁２８を開弁させる電力は、機能部８に内蔵されている非常用のバッテリ又は大容量のコンデンサ（図示せず）により供給される。電磁弁２８が開弁されると、水道の給水圧により洗浄水が供給され、この洗浄水はリム吐水口２６からボウル部２０に流入する。洗浄水が流入すると、ボウル部２０内の洗浄水は排水トラップ管路２２の屈曲部２２ｃを越えて下降管路２２ｄに流入する。ここで、排水ソケット３８内に設けられた弁体４２は使用者の操作により「閉位置」に移動されているので、下降管路２２ｄに流入した洗浄水は殆ど弁体４２の下流側へは流れず、弁体４２の上流側に留まることとなる。
【００５７】
これにより、排水トラップ管路２２内が概ね満水となると共に、ボウル部２０内の水位も、屈曲部２２ｃによって規定される溜水水位Ｌよりも高くなる。ボウル部２０内の水位が所定の水位まで上昇すると、使用者は第１インナーワイヤ４４ｂを引く力を緩める。使用者が力を緩めると、排水ソケット３８に備えられたコイルばね６２（図７）の付勢力により、第２インナーワイヤ４６ｂ及び第１インナーワイヤ４４ｂ、第３ワイヤ５２は、排水ソケット３８の方に引き戻される。同時に、スライダ６０も、コイルばね６２の付勢力により、摺動溝５８に沿って斜め下方に移動される。スライダ６０が移動されると、アーム６４を介して回転軸４２ａが回動され、これにより弁体４２が「閉位置」（図２参照）から「開位置」（図５参照）に移動される。
【００５８】
これにより、弁体４２の上流側に溜まっていた洗浄水が排水配管４０に向けて落下して、排水トラップ管路２２内に負圧が発生し、サイホン作用が起動する。サイホン作用の発生により、ボウル部２０内の洗浄水及び汚物が排水トラップ管路２２に吸引され、排水配管４０に排出される。一方、使用者が第１インナーワイヤ４４ｂを引く力を緩め、把持部４４ｃ（図３及び図４参照）が元の位置に復帰すると、スイッチユニット４８は電磁弁２８（図２参照）の開弁状態を所定時間維持した後、電磁弁２８を閉弁させる。これにより、サイホン作用が発生した後も洗浄水が所定量供給されるので、ボウル部２０内の水位が元の溜水水位Ｌに復帰して、１回の便器洗浄が終了する。
また、コネクタ５０に接続されたスイッチユニット４８は、使用者による第１ワイヤ４４の把持部４４ｃ操作に対し、この操作方向と同軸上で接続されているので、スイッチユニット４８に過負荷がかかることを防止することができる。
【００５９】
次に、本実施形態の水洗大便器装置１による効果を説明する。
本発明の実施形態による推薦大便器装置１によれば、停電対応機能の使用時において、把持部４４ｃを操作して、排水ソケット３８の流路を開閉する弁体を「閉位置」に移動させる。電磁弁（給水装置）２８は、弁体４２が「閉位置」に移動されている状態で、ボウル部２０に洗浄水を流入させる。次いで、ボウル部２０内に所定量の洗浄水が溜まった状態で弁体４２を「開位置」に移動させることにより、ボウル部２０内の溜水及び汚物が、排水トラップ管路２２を介して排水配管４０に排出される。このとき、把持部４４ｃに対する操作に基づく力を伝達する把持部４４ｃから延びる第１ワイヤ４４と、排水ソケット３８から延びる第２ワイヤ４６及びスイッチユニット４８はコネクタ５０により接続されているので、把持部４４ｃに対する操作に基づく力が第１ワイヤ４４から第２ワイヤ４６及びスイッチユニット４８に伝達され、これにより、弁体４２の開閉と電磁弁２８からの洗浄水の流入を容易に行うことができる。さらに、本実施形態によれば、水洗大便器装置１の設置時の施工作業において、さや管５３によって背面下部開口１０ｂに引き出された第２ワイヤ４６をガイドして背面上部開口１０ａまで引き上げてコネクタ５０を介して第１ワイヤ４４に接続することができるので、水洗大便器装置１の設置時の施工作業が容易となる。
【００６０】
本実施形態による水洗大便器装置１によれば、第２ワイヤ４６の球体４６ｃが、コネクタ５０の収容部６８ａに収容され且つ脱落防止壁６８ｂにより脱落することが防止されているので、第２ワイヤ４６をコネクタ５０に取り付ける作業が容易となる。
【００６１】
本実施形態による水洗大便器装置１によれば、可撓性のあるさや管５３により、さや管５３の内部に挿入された第２ワイヤ４６を背面上部開口１０ａへガイドするようにしたので、第２ワイヤ４６をコネクタ５０に接続するための作業が容易になる。
【００６２】
本実施形態による水洗大便器装置１によれば、さや管５３の下端が、背面下部開口１０ｂから露出しているので、第１ワイヤ４４をさや管５３に挿入させ易くなる。さらに、第２ワイヤ４６はさや管５３に挿入された状態でさや管５３が背面下部開口１０ｂからスカート部１０内に収納され、この状態で、第２ワイヤ４６は背面上部開口１０ａへ向かってさや管５３の内壁面に沿って変化するようになっているので、第２ワイヤ４６を背面上部開口１０ｂまで挿通させる作業が容易になる。
【００６３】
本実施形態による水洗大便器装置１によれば、水洗大便器本体２の背面側の目立たない位置に、スカート部１０に背面上部開口１０ａ及び背面下部開口１０ｂが設けられているので、より意匠性を高めることができる。また、本実施形態によれば、第２ワイヤ４６をコネクタ５０を介して第１ワイヤ４４に容易に接続することができるので、背面上部開口１０ａ及び背面下部開口１０ｂが背面側に形成されていても作業性が損なわれることがない。
【００６４】
本実施形態による水洗大便器装置１によれば、排水ソケットに、第２ワイヤ４６を背面下部開口１０ｂへ導く挿通孔６６ａが形成されたワイヤガイド６６が設けられているので、第２ワイヤ４６がよれたりねじれたりすることがなく、背面下部開口１０ｂまで導くことができ、作業が容易となる。
【００６５】
以上、本発明の実施形態を説明したが、上述した実施形態に種々の変更を加えることができる。例えば、上述した本発明の実施形態においては、使用者が把持部４４ｃを引いて、第１インナーワイヤ４４ｂに直接力を加えていたが、弁体操作部として電気的なスイッチ及びモータ等を設けておき、使用者のスイッチ操作に基づいてモータ等が作動し（非常用電源で作動）、これにより第１インナーワイヤ４４ｂに力が加えられるように本発明を構成することもできる。
また、上述した本実施形態による水洗大便器装置１においては、第２ワイヤ４６の球体４６ｃを収容部６８ｃへ収容させることにより第２ワイヤ４６とコネクタ５０とを接続するようにしているが、例えば、磁石や両面テープ、ネジなどを用いて第２ワイヤ４６とコネクタ５０を接続するようにしてもよい。要するに、第１ワイヤ４４と、第２ワイヤ４６及び電磁弁（給水装置）２８とが、何らかの接続手段により接続されていればよい。
【符号の説明】
【００６６】
１    水洗大便器装置
２    水洗大便器装置本体
１０    スカート部
１０ａ  背面上部開口
１０ｂ  背面下部開口
２２    排水トラップ管路
２８    電磁弁（給水装置）
３８    排水ソケット
４２    弁体
４４    第１ワイヤ
４４ａ  第１アウターチューブ
４４ｂ  第１インナーワイヤ
４４ｃ  把持部（弁体操作部）
４６    第２ワイヤ
４６ａ  第２アウターチューブ
４６ｂ  第２インナーワイヤ
４６ｃ  球体
４８    スイッチユニット
５０    コネクタ
５２    第３ワイヤ
５３    さや管（ガイド部材）
５４    排水ソケット本体
６６    ワイヤガイド
６６ａ  挿通孔
６８    第１接続部
６８ａ  収容部
６８ｂ  脱落防止壁
６８ｃ  ストッパ
７０    第２接続部
７２    第３接続部
７４    スリット
７６    スリット
【図１】
2018165452.tif 000003
【図２】
2018165452.tif 000004
【図３】
2018165452.tif 000005
【図４】
2018165452.tif 000006
【図５】
2018165452.tif 000007
【図６】
2018165452.tif 000008
【図７】
2018165452.tif 000009
【図８】
2018165452.tif 000010
【図９】
2018165452.tif 000011